(57)【特許請求の範囲】
【請求項１】
乳児用の光線療法位置決めシステムであって、光線療法による治療中に乳児が上に位置決めされるパッド底部を有する可撓性かつ布状のパッドと、前記パッド底部上に位置決めされたときの前記乳児に光を方向付けるための光線療法発光体とを備え、
前記パッド底部は、少なくとも２つのチャンバを有し、前記光線療法発光体は、前記チャンバの一方内に存在し、他方のチャンバは、相対的に柔軟な充填材料を含み、前記発光体の上に存在する前記パッドの少なくとも一部は透明性または透光性であって、前記発光体が放射した前記光の一部を通過させて、光線療法による治療中に前記乳児を前記光に曝露する、システム。
【請求項２】
前記パッド底部は、前記パッド底部の上に延びて、光線療法による治療中に前記乳児がその脚を押付けるための芯入りの壁部を一方端に有する、請求項１に記載のシステム。
【請求項３】
光線療法発光体が、前記パッド底部の端または側面から上方に延びる１つ以上の芯入りの壁部に取付け可能であり、前記パッド底部上に位置決めされたときの前記乳児に光を方向付けて、光線療法による治療中に前記乳児を前記光に曝露する、請求項１に記載のシステム。
【請求項４】
１つ以上の前記芯入りの壁部は、１以上の前記発光体を収容するための１以上のポケットを含む、請求項３に記載のシステム。
【請求項５】
前記発光体は、光ファイバ層の上面上に折り畳むことができて前記発光体をさまざまな幅のパッドと共に使用できるようにする側面を有する１つ以上の可撓性の光ファイバ層を含む、請求項１に記載のシステム。
【請求項６】
前記発光体は、折り畳み可能な側面の境界部で終端をなす後方反射器を有し、それにより、前記後方反射器は、前記側面が折り畳まれたときに前記側面に沿った前記発光体が放射した前記光を遮断しない、請求項５に記載のシステム。
【請求項７】
光線療法による治療中に前記乳児を位置決めおよび抑制する際の助けとなるように、前記パッドの一方端に沿ってかつ前記パッドの長さの少なくとも一部に沿って前記パッド底部上に延びる、芯入りの端部および側壁をさらに備える、請求項１に記載のシステム。
【発明の詳細な説明】
【技術分野】
【０００１】
発明の分野
この発明は、光線療法による治療等の間に乳児を位置決めおよび抑制する際に用いるための光線療法位置決めシステムに関する。
【背景技術】
【０００２】
発明の背景
光線療法は、黄疸を含むさまざまな疾病に関する新生児の治療に長く用いられてきた。黄疸は、乳児の血中にビリルビンが滞留することにより生じる。ビリルビンは、乳児の皮膚を或る種の光に曝露することによって安全レベルまで速やかに減少する。
【発明の開示】
【発明が解決しようとする課題】
【０００３】
新生児における黄疸の光線療法による治療で一般に使用される光線療法システムの一種が、光ファイバ光パッドである。この光ファイバ光パッドを乳児の皮膚に当てて定位置にしっかりと保持するための巻付け式衣服の使用もまた公知である。しかしながら、光線療法による治療中に乳児を胎児型の位置に、または看護士の規定通りに位置決めして、乳児にかかるストレスを最小限に抑えることのできる光線療法システムが必要とされる。
【課題を解決するための手段】
【０００４】
発明の概要
この発明の光線療法位置決めシステムにより、看護士は、光線療法による治療中に、胎児型の位置を含む任意の所望の位置に乳児を位置決めして、光線療法による治療中に乳児にかかるストレスを最小限に抑えることができる。
【０００５】
この発明の一局面に従い、光線療法位置決めシステムは、乳児を位置決めするための可撓性かつ布状のパッドと、このパッドに取付けられて、パッドの少なくとも一部を介して光を方向付けて、光線療法による治療中に乳児の皮膚をこの光に曝露するための光線療法発光体とを含む。
【０００６】
この発明の別の局面に従い、パッドは、光線療法による治療中に光を乳児に方向付けるための発光体が取付けられ得る底部および／または側面を含み得る。
【０００７】
この発明の別の局面に従い、発光体は、可撓性の光ファイバの１つ以上の層で形成されたか、または一体成形された光学式光ガイドを含み得る。
【０００８】
この発明の別の局面に従い、可撓性の光ファイバ発光体の側面は、この発光体をさまざまな幅のパッドと共に使用できるように折り畳み可能である。
【０００９】
この発明の別の局面に従い、発光体は、光のアレイを含み得る。
【００１０】
この発明の別の局面に従い、パッドは、１つ以上の発光体を収容するための１つ以上のポケットを含み得る。
【００１１】
この発明の別の局面に従い、パッドは、１つ以上の発光体をパッドに取付ける際に用いるための１つ以上の締結手段、たとえば、スナップ、バックル、Velcro（登録商標）、クリップ、接着性ストリップ、および／または紐を含み得る。
【００１２】
この発明の別の局面に従い、パッドは、乳児の周囲で折り畳むことのできる毛布の形状を取り得、光線療法による治療中に乳児の皮膚を光に曝露するために毛布の少なくとも一部を介して光を方向付けるための光線療法発光体を毛布に取付けるための手段を含む。
【００１３】
この発明の別の局面に従い、光線療法位置決めシステムは、光線療法による治療中に、乳児の腕、肩、臀部、および／または脚を含む乳児をパッド上に位置決めおよび抑制する際に用いるための１つ以上の紐、スナップ、バックル、および／またはVelcro（登録商標）等を含み得る。
【００１４】
この発明のこれらのおよび他の目的、利点、特徴、および局面は、以下の説明が進むにつれ明らかになるであろう。
【００１５】
この発明は、上述の目的および関連する目的を達成するために、以下により詳細に説明しかつ請求項において特に指摘する特徴を含む。以下の説明および添付の図面はこの発明の或る特定の例示的な実施例を詳細に明示しているが、この発明の原理が使用されることが考えられるさまざまな方法のうちのいくつかを示しているに過ぎない。
【発明を実施するための最良の形態】
【００１６】
発明の詳細な説明
次に、図面を詳細に参照し、最初に図１および図２を参照すると、光線療法による治療中に乳児を位置決めする際に使用するための可撓性かつ布状のパッド２を含む、この発明に従った光線療法位置決めシステム１の一形態が示される。パッド２には、後述するように、光線療法による治療中に光を乳児に方向付けて乳児の皮膚をこの光に曝露するための１つ以上の光線療法発光体３が取付けられる。図２ａおよび図２ｂは、発光体３がパッド２内のポケット４内に収容されていることを示し、図２ｃは、発光体３が、たとえば１つ以上のスナップ、バックル、Velcro（登録商標）、クリップ、接着性ストリップおよび／または紐等を含み得る適切な取付手段５を用いてパッドに取付けられていることを示す。
【００１７】
発光体３は、図３ａに示すように可撓性の光ファイバ７の１つ以上の層か、または、図３ｂに示すように可撓性もしくは剛性かつ堅固な成形光ガイド８のいずれかで構成され得る光学式光ガイド６であり得る。光は、遠隔の光源１０（図１参照）から内面反射を介して可撓性の光分配器９を透過して図３ａおよび図３ｂの光学式光ガイド６に至り得る。光ガイド６の発光面１５は、光分配器９の断面積よりも大きく、発光面においてより大きな表面積にわたって光を分散させることにより、エネルギ密度を下げる。
【００１８】
光ガイド６に光を供給するために任意の適切な光源１０が用いられてよく、光源１０は、たとえば、白熱光、ハロゲン、キセノン、金属ハロゲン化物、発光ダイオード（ＬＥＤ）（有機発光ダイオード（ＯＬＥＤ）およびポリマー発光ダイオード（ＰＬＥＤ）を含む）、ならびに蛍光を含む。
【００１９】
代替的に、発光体３は、図３ｃに概略的に示すように、プリント回路板１７上に取付けられたＬＥＤまたは他の光源１６のアレイを含み得、拡散体またはレンズであることが考えられる透明性部材１８を介して光を方向付ける。透明性部材１８は、プリント回路板１７の基部２０上にある複数の直立した支持体１９により、この回路板およびその上に取付けられた光源１６と、間隔を空けて配置された関係を維持している。
【００２０】
パッド２は、織地からなる２つ以上の層か、または、使い捨ての場合、紡糸を織った紙状の材料からなる２つ以上の層で構成されるパッド底部２１を含む。乳児の皮膚に隣接するパッド底部２１の上層２２は、相対的に光透過性である柔軟な織地状の材料で形成され
るべきである。織地の上層２２は、相対的に薄いことおよび／または粗く織られていることが考えられ、または、織地の繊維自体が相対的に透明性または透光性であり、光を通過させることができる。発光体３が相対的に可撓性である光ファイバ光ガイド６である場合、パッド底部は、図２ａに概略的に示すように、織地の上層２２の直下にポケット４を含んで発光体を収容することができる。第２のチャンバまたはポケット２３をポケット４の下に設けて、たとえば綿芯またはポリエステルからなる柔軟な充填材料２４を収容することができる。パッド２の底部織地層２５にキルティングを施して、さらなる柔軟性を与えることもできる。また、充填材料は、乳児を保温することを助ける断熱材としても働き得る。
【００２１】
発光体３が相対的に剛性である場合、充填材料またはパッド層２４は、図２ｂおよび図２ｃに概略的に示すように、ポケットまたはチャンバ２６内の、発光体の上に配置されるべきである。この場合、充填材料２４は、透明ゲル等の相対的に透明性または透光性の媒体で形成されるべきである。図２ｂに示すように、第２のポケット４をパッド底部内の充填材料のポケット２６の下に設けて、発光体３を収容することができる。代替的に、以前に説明しかつ図２ｃに概略的に示すように、適切な締結装置５を用いて発光体３をパッド底部に取付けることができる。さらに、発光体３は、ポケット４またはパッド底部から取外し可能であって、この発光体を他のパッドと共に再び使用することができ、または、パッド内に組込んで、所望であればこの発光体をパッドと共に廃棄することができる。
【００２２】
発光体３が可撓性の光ファイバ７の１つ以上の層で形成される場合、相対的に幅の広い発光体は、図４ａに概略的に示すように幅のより広いパッドと共に使用するために発光体を実質的に折り曲げないことにより、および、図４ｂに概略的に示すように幅のより狭いパッド２に適合するように発光体の側面３０を発光体の上面上に折り畳むことにより、さまざまな幅のパッドとの使用が可能になる。発光体３には後方反射器３１も設けることができる。しかしながら、さまざまな幅のパッドと共に用いるために側面３０が折り畳まれる場合、後方反射器は、折り畳まれる側面３０に達するまでに終端をなすべきである。それにより、後方反射器は、図４ｂに概略的に示すように、側面が折り畳まれたときに側面に沿った発光体が放射する光を遮断しない。
【００２３】
パッド２はまた、図６に概略的に示すように、乳児の腕、肩、臀部および脚を含む乳児をパッド底部２１に位置決めおよび抑制する際の助けとなるように、一方端の周囲に延びて乳児がその脚を押し付けるための、かつ、対向する側面縁部に少なくとも部分的に沿って延びる、芯入りの壁部３２も有し得る。図５に概略的に示すように、１つ以上の芯入りの側壁３２の内部または上に適切な取付手段またはポケット３４を設けて、さらなる光を乳児に方向付けるための１つ以上の追加の発光体３を収容することもできる。さらに、図６および図７に概略的に示すように、１つ以上の固定手段３５、たとえば紐、スナップ、バックル、および／またはVelcro（登録商標）等を用いて、パッド上において乳児を「胎児」型の位置に維持するか、または、看護士の規定する通りに維持して、光線療法による治療中に乳児にかかるストレスを最小限に抑えることができる。
【００２４】
代替的に、パッド２は、図８〜図１１に概略的に示すように、より一層毛布４０の形状を取り得る。毛布４０に芯を入れおよび／またはキルティングを施して、この毛布にさらなる柔軟性を与えることもでき、図９に概略的に示すように、ポケット４を設けて発光体３を収容することができ、または、以前に述べたように、他の任意の取付手段５を用いて毛布に発光体を取付けることもできる。
【００２５】
図１０は、乳児が発光体３に対して上に横たわった関係のもとで毛布４０上に配置されていることを概略的に示し、図１１は、乳児の腕および肩に加え臀部および脚を含む乳児を胎児型の位置に位置決めおよび抑制するか、または、看護士が規定する通りに位置決め
および抑制して、光線療法による治療中に乳児かかるストレスを最小限に抑えるために、毛布４０が乳児の周囲に巻かれていることを示す。
【００２６】
この発明を特定の実施例に関して図示および説明してきたが、当業者がこの明細書を読んで理解すると等価の変更例および変形例が生じることは明らかである。特に、上述の構成要素により実施されるさまざまな機能に関し、このような構成要素を説明するために用いた用語（「手段」についてのあらゆる言及を含む）は、指定されない限り、この発明のこの明細書における例示的な実施例において機能を果たす、開示された構成要素と構造上等価でない場合でも、記載された構成要素の指定された機能を果たす（たとえば機能上等価な）あらゆる構成要素に対応することが意図される。加えて、唯一の実施例に関してこの発明の特定の特徴を開示してきたが、このような特徴は、所定のまたは特定の任意の用途に対して所望されるか、または有利であることが考えられる他の実施例の１つ以上の他の特徴と組合せることができる。
【図面の簡単な説明】
【００２７】
【図１】光線療法による治療中に乳児を位置決めする際に使用するための、この発明の光線療法位置決めシステムの一形態の概略平面図である。
【図２ａ】図１の光線療法位置決めシステムのパッド底部の、長手方向の概略部分断面図であり、光線療法発光体をパッドに取付ける各方法を示す図である。
【図２ｂ】図１の光線療法位置決めシステムのパッド底部の、長手方向の概略部分断面図であり、光線療法発光体をパッドに取付ける各方法を示す図である。
【図２ｃ】図１の光線療法位置決めシステムのパッド底部の、長手方向の概略部分断面図であり、光線療法発光体をパッドに取付ける各方法を示す図である。
【図３ａ】この発明の光線療法位置決めシステムと共に使用することのできる、光線療法発光体の各種類を示す横方向概略断面図である。
【図３ｂ】この発明の光線療法位置決めシステムと共に使用することのできる、光線療法発光体の各種類を示す横方向概略断面図である。
【図３ｃ】この発明の光線療法位置決めシステムと共に使用することのできる、光線療法発光体の各種類を示す横方向概略断面図である。
【図４ａ】この発明の、或る幅の光線療法位置決めシステムの横方向概略断面図であり、１つのサイズの発光体が或る幅のパッドと共にどのように使用され得るかを示す図である。
【図４ｂ】この発明の、或る幅の光線療法位置決めシステムの横方向概略断面図であり、１つのサイズの発光体が或る幅のパッドと共にどのように使用され得るかを示す図である。
【図５】パッド底部および１つ以上の芯入りの壁部に取付けられて、パッド上に位置決めされたときの乳児に光を方向付けるための複数の光線療法発光体を含む、この発明の光線療法位置決めシステムの別の形態の横方向概略断面図である。
【図６】乳児がパッド上に配置されていることを示す、図１の光線療法位置決めシステムの概略平面図である。
【図７】図６と同様の概略平面図であるが、光線療法による治療中に乳児にかかるストレスを最小限に抑えるために、パッド上の好ましい位置に乳児が抑制されていることを示す図である。
【図８】光線療法発光体が取付けられた毛布の形態を取る、この発明の別の光線療法位置決めシステムの概略平面図である。
【図９】図８の光線療法位置決めシステムの横方向概略断面図である。
【図１０】乳児が毛布の上に配置されていることを示す、図８の光線療法位置決めシステムの概略平面図である。
【図１１】図１０と同様の概略平面図であるが、乳児の周囲に毛布が巻かれていることを示す図である。
【図１】
0004500799.tif 000002
【図２ａ】
0004500799.tif 000003
【図２ｂ】
0004500799.tif 000004
【図２ｃ】
0004500799.tif 000005
【図３ａ】
0004500799.tif 000006
【図３ｂ】
0004500799.tif 000007
【図３ｃ】
0004500799.tif 000008
【図４ａ】
0004500799.tif 000009
【図４ｂ】
0004500799.tif 000010
【図５】
0004500799.tif 000011
【図６】
0004500799.tif 000012
【図７】
0004500799.tif 000013
【図８】
0004500799.tif 000014
【図９】
0004500799.tif 000015
【図１０】
0004500799.tif 000016
【図１１】
0004500799.tif 000017